(57)【特許請求の範囲】
【請求項１】
所定の差込操作によって鳥等の巣に差込可能な長尺状の差込部を備え、この差込部には、巣から抜け外れないようにすべく、抜け止め手段が設けられることを特徴とする営巣撤去具。
【請求項２】
前記抜け止め手段は、差込部が螺旋形状、矩形波形状、三角波形状、台形波形状あるいはのこぎり波形状を有する線状体とされることにより構成されてなる請求項１に記載の営巣撤去具。
【請求項３】
前記抜け止め手段は、差込部から突出して形成される突起部である請求項１または２に記載の営巣撤去具。
【請求項４】
前記差込部は、その一端部が巣に差し込まれる差込端部とされるとともに、その他端部に、差込端部を巣に差し込むために差込部を操作可能な操作部が設けられる請求項１から３のいずれか１項に記載の営巣撤去具。
【請求項５】
前記操作部は、差込部が巣に差し込まれたときに、所定の掛止具によって掛止されて操作されるべく、環状に構成されてなる請求項４に記載の営巣撤去具。
【請求項６】
前記差込部は、その一端部が巣に差し込まれる差込端部とされるとともに、その他端部に、共用作業棒または固定操作棒に装着されて操作される操作部が設けられる請求項１から３のいずれか１項に記載の営巣撤去具。
【発明の詳細な説明】
【技術分野】
【０００１】
本発明は、鳥等の動物によって作られた巣を撤去するための営巣撤去具に関する。
【背景技術】
【０００２】
電柱、鉄塔の上部には、電線等を支持する腕金等の支持金物が設けられており、このような支持金物には、例えばカラス等の鳥によって巣が作られる場合がある。このような鳥の巣は、地絡、短絡等の障害の原因となるおそれがあるため、できる限り早期に撤去することが望ましい。従来、この巣の撤去については、例えば、間接活線作業で用いる絶縁ヤットコ等のホットスティック（活線作業用操作棒）を使用していた。
【発明の開示】
【発明が解決しようとする課題】
【０００３】
しかしながら、抑もこのホットスティックは、間接活線作業に用いられるものであるため、鳥の巣の撤去作業には適していない。特に、絶縁ヤットコの場合には、鳥の巣を撤去するのに十分な把持力が得られず、また、この絶縁ヤットコを使用する作業者の熟練度が低い場合には、鳥の巣の撤去をうまく行うことができなかったため、その撤去作業に手間がかかってしまっていた。
【０００４】
本発明は、上記の事情に鑑みてなされたものであり、巣の撤去作業を容易に行うことができる営巣撤去具を提供することを課題とする。
【課題を解決するための手段】
【０００５】
本発明に係る営巣撤去具は、上記の課題を解決するためのものであって、所定の差込操作によって鳥等の巣に差込可能な長尺状の差込部を備え、この差込部には、巣から抜け外れないようにすべく、抜け止め手段が設けられることを特徴とする。
【０００６】
かかる構成によれば、巣に差込部を差し込んだ場合、この差込部は、抜け止め手段によって、巣から抜け外れ難くなり、この差込部を介して、この巣を持ち上げて移動させることができるようになる。
【０００７】
したがって、営巣撤去具は、差込部を巣に差し込むだけで、この巣を容易に撤去できるようになる。しかも、巣に長尺状の差込部を差し込み、この差込部が巣の内部にとどまることによって、この巣が崩れないように保形することもでき、これによって、迅速かつ確実に巣を撤去できるようになる。
【０００８】
また、本発明に係る営巣撤去具は、前記抜け止め手段が、差込部が螺旋形状、矩形波形状、三角波形状、台形波形状あるいはのこぎり波形状を有する線状体とされることにより構成されていてもよい。
【０００９】
かかる構成によれば、差込部を、螺旋形状等を有する線状体とすることで、差込部が巣に差し込まれた状態において、差込部が抜け外れる方向に力が加わったときに、その螺旋形状等が巣の内部で引っ掛かりとなり、これによって、差込部は、この巣から抜け外れ難くなる。したがって、この差込部を介して巣を持ち上げて移動させることができるようになる。これにより、営巣撤去具は、差込部を巣に差し込むだけで、この巣を容易に撤去できるようになる。
【００１０】
また、本発明に係る営巣撤去具は、前記抜け止め手段として、差込部から突出して形成される突起部を採用してもよい。
【００１１】
かかる構成によれば、差込部を巣に差し込んだ場合に、この突起部がこの巣に引っ掛かって、差込部がこの巣から抜け外れ難くなる。これにより、営巣撤去具は、差込部を巣に差し込むだけで、容易にこの巣を持ち上げて撤去できるようになる。
【００１２】
また、本発明に係る営巣撤去具は、前記差込部の一端部が巣に差し込まれる差込端部とされるとともに、差込部の他端部に、差込端部を巣に差し込むために差込部を操作可能な操作部が設けられる構成を採用できる。
【００１３】
かかる構成によれば、この操作部を操作することにで、差込部を巣に容易に差し込むことができるようになり、これによって、巣の撤去作業を容易に行うことができるようになる。
【００１４】
また、本発明に係る営巣撤去具は、差込部が巣に差し込まれたときに、所定の掛止具によって掛止されて操作されるべく、環状に構成されていてもよい。
【００１５】
かかる構成によれば、環状に構成された操作部にフック等の掛止具を掛けることによって、巣を簡単に持ち上げることができ、これによって、この巣の撤去作業を容易に行うことができるようになる。
【００１６】
また、本発明に係る営巣撤去具では、前記差込部の一端部が巣に差し込まれる差込端部とされるとともに、差込部の他端部に、共用作業棒または固定操作棒に装着されて操作される操作部が設けられる構成を採用できる。
【００１７】
かかる構成によれば、差込部の端部に共用作業棒または固定操作棒に装着可能な操作部を設けることによって、この営巣撤去具を共用操作棒または固定操作棒に装着し、この共用操作棒または固定操作棒によって営巣撤去具の差込部を巣に差し込むことができるようになる。そして、差込部を巣に差し込んだ状態のままで、この巣を持ち上げて移動できるようになり、巣の撤去が容易になる。かかる構成は、巣の撤去作業に際して、間接活線作業を行わざるを得ない場合に極めて有用である。
【発明の効果】
【００１８】
本発明によれば、巣の撤去作業を容易に行うことができる。
【発明を実施するための最良の形態】
【００１９】
以下、本発明に係る営巣撤去具を実施するための最良の形態を、図面を参照しながら説明する。図１〜図３は、営巣撤去具（営巣撤去スパイク）の第１実施形態を示している。本実施形態に係る営巣撤去具１は、例えば、電柱、鉄塔の上部または中途部で、電線を支持する腕金等の支持金物に作られる巣２を撤去するためのものである。
【００２０】
本実施形態に係る営巣撤去具１は、金属製で断面円形の線状体または棒材に曲げ加工を施して所期の形状に形成されている。この営巣撤去具１は、電柱や鉄塔の充電部に不用意に接触して地絡、短絡等が生じないよう、その外周全面が絶縁部材（絶縁被膜）によって覆われている。
【００２１】
この営巣撤去具１は、図１に示すように、巣２に差し込まれる差込部３と、この差込部３の差込操作を行うための操作部４ａとを有している。差込部３は長尺形状を有するとともに、その一端部が巣２に差し込まれる差込端部５となっている。操作部４ａは、この差込部３の他端部に設けられている。
【００２２】
営巣撤去具１の差込部３は、金属製の線状体（または棒材）を螺旋状に曲げることにより形成されている。また、この差込部３の中途部には、この差込部３から突出する複数の突起部７ａ，７ａ，…が所定の間隔をおいて設けられている。
【００２３】
差込部３は、螺旋形状に構成されることにより、巣２に差し込まれたときに、この巣２の内部で引っ掛かり、この巣２から抜け外れ難い形状となっている。すなわち、この差込部３の螺旋形状は、差込部３が巣２から抜け外れ難くするための抜け止め手段（以下「第１抜け止め手段」という場合がある）として機能する。
【００２４】
また、差込部３は、巣２に差し込まれたときに、その中途部に設けられた複数の突起部７ａ，７ａ，…がこの巣２の内部で引っ掛かり、この巣２から抜け外れ難くなっている。すなわち、この差込部３の突起部７ａ，７ａ…は、差込部３がこの巣２から抜け外れ難くするための抜け止め手段（以下「第２抜け止め手段」という場合がある）として機能する。
【００２５】
この突起部７ａは図１に示すように、側面視四角形状とされている。また、この突起部７ａは、図２に示すように、円形断面の差込部３の半径方向外方に突出して形成されている。また、この突起部７ａは所定の厚さで形成されており、その厚さ方向に変形可能（可撓）に構成されている。この突起部７ａは、絶縁材料（例えばビニルテープ等の絶縁テープ）によって形成されている。
【００２６】
前記操作部４ａは、差込部３と一体に形成されており、差込部３の端部を曲げることで、円環状に形成されている（いわゆる「アイ」となっている）。
【００２７】
以下、この営巣撤去具１の使用方法（営巣撤去方法）について説明する。
【００２８】
巣２を撤去するには、まず、この営巣撤去具１の差込部３を巣２に差し込む。本実施形態では、操作部４ａを介して差込部３を、その螺旋の中心軸線まわりに回転させながら、巣２の側方から差し込む。この際、巣２の大きさに応じて、１本または複数本の営巣撤去具１をこの巣２に差し込むようにする。
【００２９】
なお、巣２に営巣撤去具１を差し込む場合には、作業者の手で直接差し込んでもよいし、鉤状の先端工具を装着した共用操作棒若しくは固定操作棒、絶縁ヤットコ、クイック型絶縁ヤットコ等のホットスティックを用いて操作部４ａを操作することによって差し込んでもよい。
【００３０】
差込部３が巣２に差し込まれると、第１抜け止め手段、第２抜け止め手段によって、差込部３は、この巣２から外れ難くなる。そして、この差込部３がこの巣２の内部に留まることにより、この巣２がくずれないように保形されることとなる。
【００３１】
差込部３を巣２に差し込んだ後、操作部４ａにフック等の掛止具を掛け、この掛止具をウインチ等の吊上装置によって引き上げることにより、この巣２を吊り上げて移動できるようになる。また、先端部にフック等の掛止具が設けられたワイヤ、チェーン、紐（ロープ）等の線部材（以下「吊上部材」という）を用意し、掛止具を操作部４ａに掛けるとともに、この吊上部材を高所作業車のクレーンによって引き上げるようにしてもよい。
【００３２】
また、巣２に複数の営巣撤去具１が差し込まれている場合には、それぞれの営巣撤去具１の環状の操作部４ａに、ワイヤ、チェーン、紐（ロープ）等の線材を通し、この線材の端部同士を連結して環状に構成し、この線材に吊上部材の掛止具を掛けて吊り上げるようにしてもよい。このようにすることで、巣２に差し込まれる営巣撤去具１の数よりも、吊上部材の数を少なくすることができ、巣２の吊上作業を効率良く行うことができるようになる。
【００３３】
また、差込部３を巣２に差し込んだ後、操作部４ａを、絶縁ヤットコ、クイック型絶縁ヤットコで把持して持ち上げることによって、巣２を撤去するようにしてもよく、先端部が鉤状とされた先端工具を共用操作棒に装着するとともに、この先端工具を操作部４ａに掛けて持ち上げることによって巣２を撤去するようにしてもよい。
【００３４】
このように、ホットスティックを用いて巣２を撤去する場合には、複数の営巣撤去具１をそれぞれ接近した状態で巣２に差し込み、これらの営巣撤去具１の操作部４ａをまとめて把持または掛止して、この巣２を持ち上げて撤去することも可能である。
【００３５】
なお、営巣撤去具１は、営巣場所から巣２を撤去した後、この巣２を解体する際に回収され、他の巣２の撤去に使用される。
【００３６】
上記構成の営巣撤去具１によれば、差込部３に抜け止め手段（第１抜け止め手段、第２抜け止め手段）が設けられることで、この差込部３は、巣２に差し込まれたときに、この巣２から抜け外れ難くなり、これによって、この巣２の内部に固定され、この営巣撤去具１を介してこの巣２を持ち上げて容易に撤去できるようになる。
【００３７】
しかも、差込部３が巣２に差し込まれることによって、この巣２がくずれないように保形されることから、撤去作業中に、この巣２の破片が散乱することもなく、確実に撤去できる。したがって、撤去前の巣２のまわりの養生の手間をも軽減できるようになる。
【００３８】
さらに、この営巣撤去具１は、作業者の位置、巣２の位置に応じて種々の角度で巣２に差し込むことができることから、作業者に無理な作業姿勢を強いることなく、多様な使用環境で効率的に撤去作業を行うことができる。また、営巣撤去具１は、その操作が容易であることから、作業についての熟練を要さずに、巣２を容易に撤去できる。
【００３９】
また、営巣撤去具１には、操作部４ａが設けられていることから、この操作部４ａを操作することによって、差込部３を容易に巣２に差し込むことができるようになる。これにより、巣２を撤去する際の作業性が向上する。しかも、この操作部４ａは環状に構成されているので、フック等の掛止具を掛けやすくなっており、巣２を持ち上げて移動させる際にも操作しやすい構造になっている。
【００４０】
図４は、営巣撤去具１の第２実施形態を示している。前述した第１実施形態では、差込部３の一端部に環状の操作部４ａが設けられていたが、本実施形態の操作部４ｂは、差込部３の一端部側に共用操作棒に装着されて操作可能な形状に構成されており、この点が第１実施形態と異なる。
【００４１】
具体的には、共用操作棒の端部には、種々の先端工具を取り付けるための工具取付部１３が設けられており、営巣撤去具１の操作部４ｂは、この工具取付部１３に取付可能な構成となっている。より具体的には、共用操作棒の工具取付部１３には、共用操作棒の長手方向に対して直交する方向に突出して形成された１対の係止ピン１４，１４が設けられており（１対の係止ピン１４，１４の一方を図４に示す）、操作部４ｂは、その一端部が開放状の円筒状に構成されるとともに、この係止ピン１４，１４が係合される１対のガイド溝１５，１５を有している（１対のガイド溝１５，１５の一方を図４に示す）。
【００４２】
このガイド溝１５の端部には、係止ピン１４を係止する係止凹部１６が形成されており、操作部４ｂを共用操作棒に固定する構造は、係止ピン１４をガイド溝１５に入れ、共用操作棒に対して所定の方向にツイストさせて（ひねって）係止ピン１４を係止凹部１６に係入して固定する、いわゆるツイストロック構造となっている。
【００４３】
この第２実施形態では、営巣撤去具１を共用操作棒に予め装着することにより、この共用操作棒の操作によって、差込部３を巣２に差し込むことができる。しかも、差込部３を巣２に差し込んだ後は、そのまま共用操作棒によって、巣２を持ち上げて容易に撤去することができる。
【００４４】
なお、本実施形態に係る営巣撤去具１を使用して巣２を撤去する場合には、２名以上の複数の作業者が、それぞれ営巣撤去具１を装着した共用作業棒を操作して作業を行うことが望ましい。
【００４５】
第２実施形態のその他の構成は第１実施形態と同様であり、第１実施形態と共通する部分には、共通符号を付して、その説明を省略する。第２実施形態においても、第１実施形態とほぼ同様の作用効果を奏する。
【００４６】
図５は、営巣撤去具１の第３実施形態を示している。上述した第１実施形態では、差込部３に第１抜け止め手段、第２抜け止め手段が設けられている例を説明したが、この第３実施形態では、第１抜け止め手段のみが差込部３の中途部に設けられている。その他の点は、第１実施形態と同様である。この第３実施形態においても、第１実施形態と同様の作用効果を奏する。
【００４７】
図６は、営巣撤去具１の第４実施形態を示している。上述した第１実施形態では、差込部３が線状体を螺旋状に形成することによって構成されていたが、この第４実施形態では、差込部３を直線状の線状体によって構成している。この差込部３の中途部には、所定の間隔をおいて複数の突起部（第１実施形態の第２抜け止め手段に相当する）７ｂ，７ｂ，…が設けられている。
【００４８】
この突起部７ｂ，７ｂ，…は、側面視三角形状となっており、差込部３の差込端部５に向かうにつれて徐々にその突出高さが小さくなっている。これにより、突起部７ｂ，７ｂ，…は、差込部３が巣２に差し込まれる際に過大な抵抗とならず、差込部３がこの巣２に差し込まれた後は、抜き取り方向（差込方向とは反対の方向をいう）に対して、この巣２の内部で引っ掛かりとなって、差込部３の抜け止めを効果的に行うようになっている。
【００４９】
なお、上述した第１実施形態では、差込部３を巣２に差し込む際に、この差込部３を回転させて差し込んでいたが、この第４実施形態に係る営巣撤去具１は、差込部３を回転させながら巣２に差し込む他、差込部３を回転させずに、この巣２に直線的に差し込むことも可能である。
【００５０】
第４実施形態のその他の構成は、第１実施形態と同様であり、第４実施形態が第１実施形態と共通する部分には、共通符号を付して説明を省略する。第４実施形態においても、第１実施形態と同様の作用効果を奏する。
【００５１】
図７は、営巣撤去具１の第５実施形態を示している。本実施形態に係る営巣撤去具１は、直線状の差込部３の差込端部５に抜け止め手段が設けられており、この点が前述した第４実施形態と異なる。この抜け止め手段は、差込部３に設けられたブラケット２０と、このブラケット２０に回動自在に支持された抜け止め部２１とを有する。本実施形態では、差込部３に、２つのブラケット２０，２０、および２つの抜け止め部２１，２１が設けられている。
【００５２】
抜け止め部２１は、長尺形状を有する棒部材（または板部材）で構成され、その一端部がブラケット２０に設けられた支軸２２に回動自在に支持され、その他端部側には、差込部３が巣２に差し込まれるときに、この差込部３に当接する当接部２３が設けられている。
【００５３】
抜け止め部２１は、前記支軸２２まわりに回動自在となることにより、差込部３が巣２に差し込まれるときに過大な抵抗にならないような第１の姿勢（図７において符号Ａで示す姿勢）と、差込部３が抜け外れる方向に力が加わったときに、この巣２の内部で引っ掛かりとなる第２の姿勢（図７において符号Ｂで示す姿勢）とに姿勢変更可能となっている。
【００５４】
抜け止め部２１が第１の姿勢Ａにあるとき、当接部２３が差込部３に当接し、この抜け止め部２１は、差込部３の長手方向に対してほぼ平行な姿勢となる。これにより、差込部３が巣２に差し込まれるときに、抜け止め部２１が過大な抵抗とならないようになっている。
【００５５】
一方、巣２に差し込まれた差込部３に抜き取り方向の力が加わった場合、抜け止め部２１は、第１の姿勢Ａから第２の姿勢Ｂに姿勢を変更する。このとき、抜け止め部２１は、差込部３に対して所定の傾斜角度で傾斜し、これによって、抜け止め部２１が巣２の内部で引っ掛かりとなり、差込部３は、この巣２から抜け外れ難くなる。
【００５６】
なお、本実施形態では、上述した第１実施形態ないし第４実施形態と同様に、複数本の営巣撤去具１を巣２に差し込んで、これらを介してこの巣２を持ち上げ、撤去することができるが、この巣２が比較的小さい場合には、１本の営巣撤去具１をこの巣２の中心部に上から差し込んで、下方に貫通させ、抜け止め部２１を第１の姿勢Ａから第２の姿勢Ｂに変更させた上で、この営巣撤去具１を上方に引き上げることによって、巣２を撤去するようにしてもよい。
【００５７】
差込部３の中途部には、第４実施形態で示した突起部７ｂが設けられていてもよい。本実施形態のように、差込部３の差込端部５側に抜け止め手段が設けられていれば、この突起部７ｂは設けられていなくてもよいが、この突起部７ｂが設けられている方が、差込部３の抜け止めの効果をより発揮しやすくなる。
【００５８】
第５実施形態のその他の構成は、第４実施形態と同様であり、第５実施形態においても第４実施形態と同様の作用効果を奏する。
【００５９】
図８は、営巣撤去具１の第６実施形態を示している。この第６実施形態では、差込部３の先端部に抜け止め手段が設けられており、この点が第４実施形態と異なる。差込部３の差込端部５には、差込部３に対して所定の角度で傾斜した突起部７ｃが形成されており、この突起部７ｃは、差込部３が巣２に差し込まれたときに、抜け外れないようにするための抜け止め手段となっている。
【００６０】
この突起部７ｃは、操作部４ａから差込端部５に向かうにつれて、この差込部３の半径方向内方に向かって傾斜するように形成されている。また、この突起部７ｃの差込部３に対する傾斜角度は鋭角とされることが望ましい。このようにすることで、この突起部７ｃは、差込部３を巣２に差し込むときに、過大な抵抗とならず、しかも、差込部３が巣２に差し込まれた後は、この巣２の内部で引っ掛かりとなって、確実に抜け止めを行うことができる。
【００６１】
この突起部７ｃの他に第１実施形態で示した第２抜け止め手段としての突起部７ａ、第４実施形態で示した突起部７ｂを差込部３の中途部に設けても良い。なお、本実施形態に係る突起部７ｃが設けられていれば、突起部７ａ、７ｂは差込部３に設けられていなくても良いが、この突起部７ａ、７ｂが設けられていれば、より抜け止め効果を発揮しやすくなる。
【００６２】
また、この第６実施形態においても、第５実施形態で説明したように、１本の営巣撤去具１を巣２の中心部に上から差し込んで貫通させ、巣２の底部に抜け止め手段である突起部７ｃを掛止させ、そのまま上方に引き上げて撤去するようにしてもよい。
【００６３】
第６実施形態のその他の構成は、第４実施形態とほぼ同様であり、この第６実施形態においても第４実施形態と同様の作用効果を奏する。
【００６４】
図９は、営巣撤去具１の第７実施形態を示している。本実施形態に係る営巣撤去具１は、差込部３が、直線状の線状体で構成された芯部３１と、この芯部３１のまわりに螺旋状に巻き付けられるように形成された羽板部３２とを有しており、この点において上述した第１実施形態と異なる。
【００６５】
この差込部３の羽板部３２は、第１実施形態の差込部３の螺旋形状と同様に、差込部３が巣２に差し込まれたときに、差込部３がこの巣２から抜け外れないようにするための抜け止め手段として機能する。
【００６６】
この営巣撤去具１は、第１実施形態と同様に、芯部３１の軸心まわりに回転するように操作部４ａを回転操作することによって、差込部３が巣２に差し込まれる。巣２に差込部が差し込まれると、羽板部３２がこの巣２の内部で引っ掛かりとなり、差込部３がこの巣２から抜け外れ難くなる。
【００６７】
第７実施形態のその他の構成は、第１実施形態と同様であり、第７実施形態が第１実施形態と共通する部分には、共通符号を付してその説明を省略する。第７実施形態においても、第１実施形態と同様の作用効果を奏する。
【００６８】
図１０は、営巣撤去具１の第８実施形態を示している。本実施形態に係る営巣撤去具１は、第１実施形態と同様に、断面円形の金属製の線状体に曲げ加工を施すことによって、差込部３、操作部４ａが形成されているが、本実施形態では、さらに、線状体を曲げることによって、差込部３に複数の突起部７ｄ，７ｄ，…が形成されて、のこぎり波形状の抜け止め手段となっており、この点が第１実施形態と異なる。
【００６９】
また、この差込部３は、この突起部７ｄ，７ｄ，…と、複数の直線状の部分（以下「直線部」という）４１，４１，…とを有し、突起部７ｄ，７ｄ，…と直線部４１，４１，…は、差込部３の長手方向で交互に形成されている。
【００７０】
この突起部７ｄ，７ｄ，…は、直線部４１，４１，…に対して所定の傾斜角度で曲げられた第１辺部４２と、直線部４１，４１，…に対してほぼ直角に曲げられた第２辺部４３とを有する。第１辺部４２は、差込部３を巣２に差し込むときに過大な抵抗とならないように、第２辺部４３から差し込み端部に向かうにつれて、徐々に断面円形の直線部４１，４１，…の半径方向内方側に傾斜するように形成されている。
【００７１】
第２辺部４３は、直線部４１，４１，…に対してほぼ直角に曲げられていることから、差込部３に抜き取り方向の力が作用したときに、巣２の内部で引っ掛かりとなり、これによって、差込部３は、この巣２から抜け外れ難くなっている。
【００７２】
第８実施形態のその他の構成は、第１実施形態とほぼ同様の構成であり、第８実施形態が第１実施形態と共通する部分には、共通符号を付してその説明を省略する。第８実施形態においても、第１実施形態と同様の作用効果を奏する。
【００７３】
図１１は、営巣撤去具１の第９実施形態を示している。上述した第２実施形態では、いわゆるツイストロック構造によって、共用操作棒に装着可能な営巣撤去具１を示したが、本実施形態に係る営巣撤去具１は、いわゆる菊座構造を利用して角度調節可能に固定操作棒に装着できるように構成されており、この点が第２実施形態と異なる。
【００７４】
本実施形態では、固定操作棒の先端部に営巣撤去具１を取付可能な工具取付部４５が設けられており、営巣撤去具１は、この工具取付部４５に装着されて操作される操作部４ｃを差込部３の端部に有している。
【００７５】
固定操作棒の工具取付部４５は、図１１に示すように、所定の間隔をおいて環状に配置された複数の係止突起４６を有する。この係止突起４６の環のほぼ中心位置には、固定操作棒の長手方向にほぼ直交して突出する円柱状の突起部４７が設けられている。この円柱状の突起部４７の外周面には雄ねじ部が形成されており、この雄ねじ部には、蝶ナット４８が嵌め込まれている。
【００７６】
営巣撤去具１の操作部４ｃは、工具取付部４５の複数の係止突起４６の間に嵌合可能な係止突起４９を有する。この操作部４ｃには、複数の係止突起４９が所定の間隔をおいて環状に配設されている。また、この操作部４ｃには、工具取付部４５の円柱状の突起部４７に係合可能な凹部５０が、その突端から差込部３の長手方向に沿って形成されている。
【００７７】
この営巣撤去具１を固定操作棒に装着するには、まず、営巣撤去具１の操作部４ｃの係止突起４９と固定操作棒の工具取付部４５の係止突起４６とを対向させた状態で、操作部４ｃの凹部５０を工具取付部４５の円柱状の突起部４７に側方から係合させる。次に、操作部４ｃの係止突起４９のそれぞれを、工具取付部４５の係止突起４６の間に嵌合させ、この状態で、蝶ナット４８を締め付けて、操作部４ｃを工具取付部４５に固定する。以上によって、操作部４ｃは固定操作棒の工具取付部４５に装着される。
【００７８】
この営巣撤去具１は、蝶ナット５０を緩めて、営巣撤去具１を前記工具取付部４５の円柱状の突起部４７まわりに回動させ、別の位置で、操作部４ｃの係止突起４９を、工具取付部４５の係止突起４６の間に嵌合させ、さらに、蝶ナット５０を締め付けて固定することによって、差込部３と固定操作棒とのなす角度を調節できるようになっている。
【００７９】
すなわち、この営巣撤去具１と固定操作棒との間には、菊座を用いた連結固定構造を採用することで、固定操作棒等のホットスティックに対する差込部３の角度を調整する角度調節手段が設けられているということができる。
【００８０】
本実施形態に係る営巣撤去具１によれば、固定操作棒に対する差込部３の角度を調整できることから、作業者の位置、巣２の大きさ、営巣位置に応じて、差込部３の角度を調整することで、差込部３をその作業環境に適した姿勢で巣２に差し込むことができるようになり、撤去作業をさらに容易に行うことができるようになる。
【００８１】
本実施形態では、差込部３（の長手方向）と固定操作棒（の長手方向）とがなす角度が約１８０度の場合、すなわち、差込部３と固定操作棒とが直線上に連結されている場合には、第１実施形態ないし第３実施形態等で示したような、差込部３が螺旋形状を有するタイプの営巣撤去具１を工具取付部４５に装着して、固定操作棒を回転させながら、差込部３を巣２に差し込むことができる。
【００８２】
また、差込部３と固定操作棒とがなす角度が１８０度の場合には、第４実施形態ないし第６実施形態で示したような、差込部３が直線状に形成された営巣撤去具１を工具取付部４５に装着して、差込部３を巣２に直線的に差し込むこともできる。
【００８３】
なお、本実施形態において、差込部３と固定操作棒とがなす角度が１８０度以外で、差込部３が固定操作棒に対して傾斜している場合には、第４実施形態ないし第６実施形態等で示したような、差込部３が直線状に形成されたものを用い、この差込部３を巣２に対して直線的に差し込むようにするのが望ましい。
【００８４】
本実施形態のその他の構成は上述した他の実施形態と同様であり、本実施形態においても他の実施形態と同様の作用効果を奏する。
【００８５】
なお、本発明は、上記の実施形態に限らず、種々の変更・変形が可能である。
【００８６】
例えば、上記の実施形態では、操作部４ａをホットスティックで掛止して操作することによって差込部３を巣２に差し込むとともに、そのまま操作部４ａをホットスティックで持ち上げてこの巣２を撤去する例を示したが、これに限らず、作業者の手で直接差込部３を巣２に差し込み、この営巣撤去具１を持ち上げることによって巣２を撤去するようにしてもよい。作業者の手で直接差込部３を巣２に差し込むことができる場合には、営巣撤去具１に操作部４ａ，４ｂを設けなくてもよい。
【００８７】
上記の実施形態では、金属性の線状体を曲げ加工を施すことにより形成された営巣撤去具１を例示したが、この営巣撤去具１は、これに限らず、樹脂製、木製その他の種々の材質のものを用いることができる。
【００８８】
上記の実施形態では、操作部４ａが環状とされた例を説明したが、操作部４ａは、これに限らず、ホットスティックによって操作可能な形状あるいは掛止具を掛止可能な形状であればよく、鉤状、Ｔ字状その他の種々の形状を採用できる。
【００８９】
また、操作部４ａに永久磁石を設けるとともに、吊上部材の端部にも永久磁石を設けておき、吊上部材の端部の磁石と操作部４ａを磁着させ、ウインチ等の吊上装置で巣２を吊り上げるようにすることも可能である。
【００９０】
また操作部４ａと、これを操作するホットスティックの先端部との間に、雄雌からなる面ファスナーや粘着テープ等の固定手段を設け、ホットスティックの先端部を操作部４ａに固定して操作するようにしてもよい。
【００９１】
上記の実施形態では、営巣撤去具１を断面円形の金属製の線状体で構成したものを例示したが、これに限らず、筒状（中空状）、楕円状、三角形状、四角形状等の多角形状、異形形状その他の種々の断面形状の線状体を用いて営巣撤去具１を形成してもよい。
【００９２】
上記の第５実施形態では、差込部３に２つの抜け止め部２１，２１が設けられた例を示したが、この抜け止め部２１の数は、１または、３以上の複数であってもよい。また、上記の第６実施形態では、差込部３の差込端部５側に１つの突起部７ｂが設けられた例を示したが、差込部３の差込端部５側に２以上の複数の突起部７ｂ，７ｂ，…を形成するようにしてもよい。
【００９３】
上記の実施形態では、巣２に営巣撤去具１を直接差し込んで撤去する例を説明したが、これに限らず、例えば、予め巣２にネット状またはシート状の被覆部材を被せておき、その上から差込部３を貫通させて巣２に差し込むことで、差込部３および被覆部材をこの巣２に固定するようにしてもよい。これによって、被覆部材が巣２を被覆した状態でこの巣２に一体に固定され、これによって巣２がより一層崩れ難くなり、この巣２の破片の散乱を防止するとともに、迅速かつ確実な撤去が可能になる。
【００９４】
上記の第１実施形態では、第２抜け止め手段である突起部７ａ，７ａ，…を絶縁材で構成した例を示したが、差込部３、操作部４ａが絶縁材によって被覆されていれば、この突起部７ａ，７ａ，…を絶縁材で構成しなくてもよい。また、突起部７ａ，７ａ，…は、差込部３等を被覆する絶縁材と一体に形成されていてもよい。
【００９５】
また、差込部３が螺旋状に形成されている場合において、差込部３を巣２に差し込む際に、その差込端部５がこの巣２を貫通して突出するようにし、突出した差込端部５側で巣２から露出した螺旋の部分に、フック等の掛止具を掛けて、巣２を引き上げるようにしてもよい。
【００９６】
また、上記の実施形態では、操作部４ａが円環状に構成された例を示したが、この操作部４ａの環の形状は、円形状に限らず、多角形状、楕円形状、異形形状その他の種々の形状を採用できる。
【００９７】
上記の第９実施形態では、いわゆる菊座構造によって、差込部３と固定操作棒の角度を調整できる例を示したが、これに限らず、差込部３の中途部にヒンジ等の回動連結手段を設けて、これを差込部３の角度調整手段とし、差込部３と固定操作棒等のホットスティックとがなす角度を調整できるようにしてもよい。
【００９８】
また、差込部３を電気モータ等の回転駆動手段の回転軸に設けることにより、この差込部３を自動回転させながら巣２に差し込むことができる構成を採用してもよい。これによって、差込部３の巣２への差し込みを容易かつ迅速にでき、撤去作業の効率を向上できる。
【００９９】
上記の第７実施形態では、差込部３が直線状の芯部３１と螺旋状の羽板部３２とで構成された例を説明したが、この羽板部２３に凹凸を設けるようにしてもよい。これによって、差込部３が巣２に差し込まれたときに、羽板部２３の凹凸が、巣２の内部での引っ掛かりとなり、差込部３の抜け止めの効果をより大きく発揮できるようになる。
【０１００】
上記の第８実施形態では、差込部３がのこぎり波形状となっている例を説明したが、この差込部３は、矩形波形状、三角波形状あるいは台形波形状であってもよい。また、この場合、上記の第８実施形態のように、複数の突起部７ｄが同一平面上に並ぶのではなく、差込部８の軸周りに角度をずらして形成されるようにしてもよい。
【図面の簡単な説明】
【０１０１】
【図１】営巣撤去具の第１実施形態を示す側面図である。
【図２】図１のＸ−Ｘ矢示線断面図である。
【図３】営巣撤去具を用いた巣の撤去方法を説明する図である。
【図４】営巣撤去具の第２実施形態を示す側面図である。
【図５】営巣撤去具の第３実施形態を示す側面図である。
【図６】営巣撤去具の第４実施形態を示す側面図である。
【図７】営巣撤去具の第５実施形態を示す要部側面図である。
【図８】営巣撤去具の第６実施形態を示す要部側面図である。
【図９】営巣撤去具の第７実施形態を示す側面図である。
【図１０】営巣撤去具の第８実施形態を示す側面図である。
【図１１】営巣撤去具の第９実施形態を示す側面図である。
【符号の説明】
【０１０２】
１…営巣撤去具、２…巣、３…差込部、４ａ…操作部、４ｂ…操作部、４ｃ…操作部、５…差込端部、７ａ…突起部（抜け止め手段）、７ｂ…突起部（抜け止め手段）、７ｃ…突起部（抜け止め手段）、７ｄ…突起部（抜け止め手段）、１３…工具取付部、１４…係止ピン、１５…ガイド溝、１６…係止凹部、２０…ブラケット、２１…抜け止め部（抜け止め手段）、２２…支軸、２３…当接部、３１…芯部、３２…羽板部、４１…直線部、４２…第１辺部、４３…第２辺部、Ａ…第１の姿勢、Ｂ…第２の姿勢
【図１】
0005106026.tif 000002
【図２】
0005106026.tif 000003
【図３】
0005106026.tif 000004
【図４】
0005106026.tif 000005
【図５】
0005106026.tif 000006
【図６】
0005106026.tif 000007
【図７】
0005106026.tif 000008
【図８】
0005106026.tif 000009
【図９】
0005106026.tif 000010
【図１０】
0005106026.tif 000011
【図１１】
0005106026.tif 000012